(57)【要約】【課題】  本発明はＩＣセンサを用いた防犯システムにおいて、容易にＩＣセンサを管理することができるＩＣセンサ管理システムを提供することを目的とする【解決手段】  複数のICセンサの固有のアドレスを記憶するアドレス記録手段と、１つのICセンサの位置から信号の送受信可能な範囲にある他のICセンサの固有のアドレスを記憶する位置関係記録手段と、１つのＩＣセンサに他のＩＣセンサの固有のアドレスを送信し、登録する登録手段と、アドレス記録手段と位置関係記録手段とから複数のＩＣセンサの位置関係を読出し、外部の表示装置に複数のＩＣセンサの位置関係を表示する表示手段とを備える。【選択図】  図３
2006285634.tif 000002
【特許請求の範囲】
【請求項１】
信号の送受信用のアンテナと異常を感知するセンサとを有し、それぞれ間隔をおいて配置される複数のICセンサと、前記複数のICセンサの状態を管理する情報端末とを備えることを特徴とする防犯システム。
【請求項２】
信号の送受信用のアンテナと異常を感知するセンサを有し、それぞれ互いに監視情報を送受信する複数のICセンサの固有のアドレスの登録を管理するICセンサ管理システムであって、
前記複数のICセンサの固有のアドレスを記憶するアドレス記録手段と、
１つのICセンサの位置から信号の送受信可能な範囲にある他のICセンサの固有のアドレスを記憶する位置関係記録手段と、
前記１つのICセンサに前記他のICセンサの固有のアドレスを送信し、登録する登録手段と、
前記アドレス記録手段と前記位置関係記録手段とから前記複数のICセンサの位置関係を読出し、外部の表示装置に前記複数のICセンサの位置関係を表示する表示手段とを備えるICセンサ管理システム。
【請求項３】
前記複数のICセンサの配置の変更がある場合、前記登録手段により前記ICセンサに登録されたアドレスを消去するアドレス消去手段を更に有し、
前記位置関係記録手段は前記１つのICセンサと前記他のICセンサの位置関係を更新し、更新された位置関係に基づいて、前記登録手段は前記１つのICセンサに前記他のICセンサの固有のアドレスを登録することを特徴とする請求項２記載のICセンサ管理システム。
【請求項４】
信号の送受信用のアンテナと異常を感知するセンサを有し、それぞれ互いに監視情報を送受信する複数のICセンサの固有のアドレスの登録を管理するICセンサ管理システムをデータ処理装置に実行させるプログラムであって、
前記複数のICセンサの固有のアドレスを記憶するアドレス記録処理と、
１つのICセンサの位置から信号の送受信可能な範囲にある他のICセンサの固有のアドレスを記憶する位置関係記録処理と、
前記１つのICセンサに前記他のICセンサの固有のアドレスを送信し、登録する登録処理と、
前記アドレス記録手段と前記位置関係記録手段とから前記複数のICセンサの位置関係を読出し、外部の表示装置に前記複数のICセンサの位置関係を表示する表示処理とを前記データ処理装置に実行させることを特徴とするＩＣセンサ管理プログラム。
【発明の詳細な説明】
【技術分野】
【０００１】
本発明は、対象物の異常を感知しその異常情報を送信するＩＣセンサを用いる防犯システムに関する。
【背景技術】
【０００２】
現在様々な犯罪がおきており、盗難防止目的として自動販売機や現金預払機等の据置型機器に対して、２４時間監視する防犯装置が設けられている。この防犯装置は定期的に監視情報を管理センタに送信し、異常があった場合には管理センタに異常信号を送信する。微弱な電波を送受信するＩＣタグと異常を感知するセンサを組み合わせて監視する装置（以下ＩＣセンサ）がある。
【特許文献１】特開２００４−２３６０４８号
【発明の開示】
【発明が解決しようとする課題】
【０００３】
上記のような防犯装置は犯罪に対して有効である。しかしながら、防犯装置を一度設置すると装置の変更が困難であり、通信手段が破壊された場合には通信手段の変更を直ちに行うことができなかった。  
【課題を解決するための手段】
【０００４】
本発明は容易に装置の設定及び変更が可能な防犯システムを提供することを目的とする。
【０００５】
上記目的を達成するために、本発明の防犯システムは、信号の送受信用のアンテナと異常を感知するセンサとを有し、それぞれ間隔をおいて配置される複数のICセンサと、複数のICセンサの状態を管理する情報端末とを備える。
【０００６】
また、上記防犯システムに用いられるＩＣセンサの管理システムは、信号の送受信用のアンテナと異常を感知するセンサを有し、それぞれ互いに監視情報を送受信する複数のICセンサの固有のアドレスの登録を管理するICセンサ管理システムであって、複数のICセンサの固有のアドレスを記憶するアドレス記録手段と、１つのICセンサの位置から信号の送受信可能な範囲にある他のICセンサの固有のアドレスを記憶する位置関係記録手段と、１つのICセンサに他のICセンサの固有のアドレスを送信し、登録する登録手段と、アドレス記録手段と位置関係記録手段とから複数のICセンサの位置関係を読出し、外部の表示装置に複数のICセンサの位置関係を表示する表示手段とを備える。
【０００７】
ここで、複数のICセンサの配置の変更がある場合、登録手段によりICセンサに登録されたアドレスを消去するアドレス消去手段を更に有し、位置関係記録手段は１つのICセンサと他のICセンサの位置関係を更新し、更新された位置関係に基づいて、登録手段は１つのICセンサに他のICセンサの固有のアドレスを登録する。
【０００８】
更に、本発明のＩＣセンサ管理プログラムは、信号の送受信用のアンテナと異常を感知するセンサを有し、それぞれ互いに監視情報を送受信する複数のICセンサの固有のアドレスの登録を管理するICセンサ管理システムをデータ処理装置に実行させるプログラムであって、複数のICセンサの固有のアドレスを記憶するアドレス記録処理と、１つのICセンサの位置から信号の送受信可能な範囲にある他のICセンサの固有のアドレスを記憶する位置関係記録処理と、１つのICセンサに他のICセンサの固有のアドレスを送信し、登録する登録処理と、アドレス記録手段と位置関係記録手段とから複数のICセンサの位置関係を読出し、外部の表示装置に複数のICセンサの位置関係を表示する表示処理とをデータ処理装置に実行させる。
【発明の効果】
【０００９】
本発明のＩＣセンサの管理システムとＩＣセンサ管理プログラムによれば、複数のＩＣセンサのアドレスの配置状況及びＩＣセンサへの他のＩＣセンサのアドレスの登録が１つの情報端末より行うことができるので、労力の低減になり作業効率を高めることができる。
【発明を実施するための最良の形態】
【００１０】
図１に本発明の実施の形態に係るICセンサを用いた防犯システムの構成を示す。図１に示すように、防犯システムは、監視対象である現金自動預払機に取り付けられたICセンサ３ａ、３ｂ、３ｃと、監視対象である自動販売機に取り付けられたＩＣセンサ４ａ、４ｂ、４ｃ、４ｄと、通信の中継手段として電柱に取り付けられたＩＣセンサ５a、５ｂ、５ｃ、５ｄ、５ｅ、５ｆと、ＩＣセンサから送信される情報に基づいて、現金自動預払機や自動販売機の状態を管理する監視センタのコンピュータ１とにより構成され、情報の伝達ネットワークが形成されている。
【００１１】
ICセンサの電波は微弱であるため信号を送受信できる範囲が限定される。例えば、図１のATMの取り付けられたICセンサ３aは、ＩＣセンサ４ａ、４ｂ、5ａ、５ｄと電波の送受信が可能である。それぞれのＩＣセンサが信号を受信可能な範囲に位置するＩＣセンサに対して信号の送受信を行っていくことにより、監視センタのコンピュータ１に監視対象であるＡＴＭや自動販売機の状態を伝えることができる。
【００１２】
図２に本発明の実施の形態に係る防犯システムに用いるＩＣセンサの構成を示す。ＩＣセンサ１０は、ＩＣセンサ全体の制御を行うＣＰＵ１０と、ＩＰアドレスを記憶するメモリ１１と、アンテナ１３を有し他のＩＣセンサと情報を送受信する送受信部１２と、充電池１５を有する電源部１４と、振動変化を感知する振動センサ１６と、温度変化を感知する温度センサ１７と、傾斜変化を感知する傾斜センサ１８とを備えている。
【００１３】
ここで、内蔵されるセンサは振動センサ１６、温度センサ１７、傾斜センサ１８に限定されることなく、使用目的に応じて光センサ、音センサ、気圧センサなど様々な種類のセンサを用いることができる。
【００１４】
ＩＣセンサ１は常時、送受信回路１２のアンテナ１３により信号を送受信している。振動センサ１６、温度センサ１７、傾斜センサ１８が変化を感知したときは、信号をCPU１０に出力し、CPU１０は送受信部１２に異常を知らせる信号を送信するように制御する。
【００１５】
ＩＣセンサはそれぞれ固有のＩＰアドレスを有していて、信号を送受信する際にＩＰアドレスも送受信され、どのICセンサからの信号か識別することができる。ＩＣセンサには送受信可能な範囲内に位置する他のＩＣセンサのＩＰアドレスがメモリ１１に登録されている。
【００１６】
それぞれのＩＣセンサのＩＰアドレス、送受信可能なＩＣセンサのＩＰアドレスと取り付け場所の関係を表１に示す。
【表１】
2006285634.tif 000003
【００１７】
それぞれのＩＣセンサは、メモリ１１に登録されているＩＰアドレスを有する他のＩＣセンサからの信号を送受信部１２のアンテナ１３により常時受信すると同時に他のＩＣセンサに対して信号を送信している。何も異常がないときでも信号は監視センタのコンピュータ１に送信され、信号が正常に受信されているときは全てのＩＣセンサが正常に動いていると判断される。コンピュータ１が異常を知らせる信号を受信したときは、添付されているＩＰアドレスによりどのＩＣセンサからの信号かを判断し、警察への通報などの対応をとる。また、いずれかのＩＣセンサが正常に働いていない場合、他のＩＣセンサが当該ＩＣセンサから信号を受信できないことを知らせる信号を送信する。
【００１８】
次に、それぞれのＩＣセンサのメモリ１１に送受信可能な範囲のＩＰアドレスを登録する登録システムおよびその方法について説明する。
【００１９】
図３にＩＰアドレスを登録する登録システムの構成を示し、図４に登録システムの動作のフローチャートを示す。
【００２０】
登録システム２０は、配置されている複数のＩＣセンサのアドレスを記録するアドレス記録手段と２０１と、表１に示すように１つのＩＣセンサにおける信号の送受信可能な他のＩＣセンサのＩＰアドレスを記録してＩＣセンサの位置関係を記録する位置関係記録手段２０２と、ＩＣセンサに信号の送受信可能な範囲に位置する他のＩＣセンサのＩＰアドレスを記録する登録手段２０３と、ＩＣセンサに記録された他のＩＣセンサのＩＰアドレスの登録を消去するアドレス消去手段２０４と、複数のＩＣセンサとＩＣセンサの取り付けられた対象物を表示装置３０に表示する表示手段２０５と、登録システム２０全体を制御するＣＰＵ２０６と、登録システム２０を制御するプログラムが記録されているＲＯＭ２０７とを備えていて、入力装置４０と、表示装置３０と、プリンタ５０が図示しないインターフェイスを介して登録システム２０に接続されている。登録システム２０は汎用のコンピュータ等により実現することができる。
【００２１】
登録システム２０は、防犯システムに使用されるＩＣセンサのＩＰアドレスをアドレス記録手段２０１に記録し（図４のＳ３０１）、各ＩＣセンサのＩＰアドレスと配置場所と、信号の送受信可能な範囲に位置するＩＣセンサのＩＰアドレスを位置関係記録手段２０２に記録する（図４のＳ３０２）。そして、登録手段２０３により各ＩＣセンサのメモリ１１に信号の送受信可能なＩＣセンサにＩＰアドレスを記録させる（図４のＳ３０３）。
【００２２】
表示部２０４は図示しないビデオインターフェースを介して表示装置３０に、例えば図１に示すようなＩＣセンサの位置関係図を表示する。図１では符号を付してあるが、表示装置ではＩＣセンサのアドレスが表示される。
【００２３】
また、入力装置４０を介して位置関係図や設置されているＩＣセンサのアドレスの印刷の要求があった場合、ＣＰＵ２０５は要求に応じてアドレス記録手段２０１と位置関係記録手段より必要な情報と読み出して、図示しないインターフェイスを介してプリンタ５０に出力する。更に、表示装置３０に表示される画像は、入力装置４０からの入力信号に対応して切り替えてもよい。例えば、入力装置４０からの要求により、ＩＣセンサのＩＰアドレスと配置場所の表などを表示装置３０に表示することができる。
【００２４】
次に、ＩＣセンサの新規登録や配置の変更があり、登録変更の要求が入力装置４０よりあった場合、ＣＰＵ２０６はアドレス消去手段２０４により、ＩＰアドレスの登録の変更を必要とするＩＣセンサのメモリ１１に記録されているＩＰアドレスを消去する。そして、登録手段２０３により新規のＩＰアドレスを登録する。このとき、使用されていたＩＣセンサの除去や新たなＩＣセンサの追加があった場合、ＣＰＵ２０６は現在使用されているＩＣセンサのＩＰアドレスをアドレス記録手段２０１に記録するように制御する。そして、ＣＰＵ２０６は、位置関係記録手段２０２に対して、現在使用しているＩＣセンサのＩＰアドレスと信号の送受信可能な範囲に位置するＩＣセンサのＩＰアドレスの位置関係を更新するように制御する。
【００２５】
以上本発明の実施の形態を説明したが、本発明は上述の実施の形態に限定されることはなく様々に変更可能である。
【００２６】
ＩＣセンサをＡＴＭや自動販売機に設置した防犯システムを説明したが、ＩＣセンサを子供に持たせて子供の移動を監視してもよい。この場合、複数のＩＣセンサの送受信可能な範囲を外れた場合に異常を知らせる信号を監視センタに送信する。
【００２７】
また、監視対象であるＡＴＭ（現金自動預払機）や自動販売機等と、信号の中継伝達として電柱等に取り付けられるＩＣセンサは、同一の構成のＩＣセンサを用いたが、ＩＣセンサを監視対象に取り付けるのではなく中継伝達用に用いる場合、各種センサ１６，１７，１８を内蔵しないＩＣを用いてもよい。この場合、各種センサを内蔵していないので、安価に防犯システムを構成することができる。
【図面の簡単な説明】
【００２８】
【図１】本発明の実施の形態に係るＩＣセンサを用いた防犯システムの構成を示す図である。
【図２】図１のＩＣセンサの構成を示す図である。
【図３】本発明の実施の形態に係るＩＣセンサのＩＰアドレスを登録する登録システムの構成を示す図である。
【図４】図３の登録システムの動作のフローチャートを示す図である。
【符号の説明】
【００２９】
１    コンピュータ
３a〜３c,４a〜４d,５a〜５f  ＩＣセンサ
１０  ＩＣセンサ
１１  メモリ
１２  送受信部
１３  アンテナ
１４  電源部
１５  充電池
１６  振動センサ
１７  温度センサ
１８  傾斜センサ
２０  登録システム
３０  表示装置
４０  入力装置
５０  プリンタ
２０１  アドレス記録手段
２０２  位置関係記録手段
２０３  登録手段
２０４  アドレス消去手段
２０５  表示手段
２０６  ＣＰＵ
２０７  ＲＯＭ
【図１】
2006285634.tif 000004
【図２】
2006285634.tif 000005
【図３】
2006285634.tif 000006
【図４】
2006285634.tif 000007